(57)【要約】【課題】記録媒体に記録されるオーディオ信号の有音部分の優先取得に相当するような編集について、上記したようなレベル検出の不確実性に起因する不都合を補い、最終的にはできるだけユーザの要求、意図に適った編集結果が効率的に得られるようにする。【解決手段】ディスクに記録されたオーディオデータを読み出してレベル検出を行って無音区間、有音区間、過大音区間に区分し、トラック分割を実行する。そして、分割後のトラックについて、トラックナンバとして、有音区間−無音区間−過大音区間の順となるようにしてトラック移動を実行する。【選択図】図１２
2007102921.tif 000002
【特許請求の範囲】
【請求項１】
所定の管理単位によりオーディオデータが記録される記録媒体から、編集対象となる上記管理単位のオーディオデータを読み出させる読み出し手段と、
上記読み出し手段により読み出されたオーディオデータのレベルを検出するレベル検出手段と、
上記レベル検出手段の検出出力に基づいて、所定のレベル状態に応じたオーディオデータの区間を検出する区間検出手段と、
上記区間検出手段による上記オーディオデータの区間についての検出結果に基づいて、上記管理単位についての分割処理を行う分割手段と、
上記分割手段による分割処理後に得られた管理単位に付される番号である管理単位番号について、同じ所定のレベル状態に応じたオーディオデータの管理単位の集合ごとに管理単位番号が連続するようにして変更する管理番号変更手段と、
を備えることを特徴とする編集装置。
【請求項２】
上記管理番号変更手段による管理単位番号の変更に伴って、上記所定のレベル状態に応じたオーディオデータの管理単位のうちで、特定のレベル状態に応じたオーディオデータの管理単位に対して管理単位名を付与するようにされ、この管理単位名として、上記分割手段による分割処理前において同じ管理単位に含まれていたとされる、他の分割処理後の管理単位との連結関係が示される内容を設定するようにされた管理単位名付与手段、
をさらに備えることを特徴とする請求項１に記載の編集装置。
【請求項３】
上記区間検出手段は、
上記区間として、オーディオデータのレベルが無音であるとみなされる無音区間と、オーディオデータのレベルが有音であるとみなされる有音区間との、少なくとも２種類の区間を検出するようにされている、
ことを特徴とする請求項１に記載の編集装置。
【請求項４】
上記区間検出手段は、
上記区間として、オーディオデータのレベルが通常レベルであるとみなされる通常レベル区間と、オーディオデータのレベルが過大であるとみなされる過大レベル区間との、少なくとも２種類の区間を検出するようにされている、
ことを特徴とする請求項１に記載の編集装置。
【請求項５】
上記区間検出手段は、
上記所定のレベル状態に応じたオーディオデータの区間を検出するための、オーディオデータのレベルについての閾値について変更可能とされている、
ことを特徴とする請求項１に記載の編集装置。
【請求項６】
上記記録媒体に記録されるオーディオデータを再生出力するための再生信号処理を実行する再生信号処理実行手段をさらに備え、
上記レベル検出手段は、
上記再生信号処理におけるデジタル−アナログ変換に対する入力段より前段における所定の処理段階にて得られるオーディオデータを対象としてレベル検出を実行するようにされている、
ことを特徴とする請求項１に記載の編集装置。
【請求項７】
所定の管理単位によりオーディオデータが記録される記録媒体から、編集対象となる上記管理単位のオーディオデータを読み出させる読み出し手順と、
上記読み出し手順により読み出されたオーディオデータのレベルを検出するレベル検出手順と、
上記レベル検出手順の検出出力に基づいて、所定のレベル状態に応じたオーディオデータの区間を検出する区間検出手順と、
上記区間検出手順による上記オーディオデータの区間についての検出結果に基づいて、上記管理単位についての分割処理を行う分割手順と、
上記分割手順による分割処理後に得られた管理単位に付される番号である管理単位番号について、同じ所定のレベル状態に応じたオーディオデータの管理単位の集合ごとに管理単位番号が連続するようにして変更する管理番号変更手順と、
を備えることを特徴とする編集方法。
【発明の詳細な説明】
【技術分野】
【０００１】
本発明は、例えばトラックといわれる記録再生の管理単位により記録媒体に記録されるオーディオデータを対象として編集を行う編集装置と、その方法に関するものである。
【背景技術】
【０００２】
所定種類の記憶媒体に対応してデジタルによりオーディオ信号を記録し、また記憶媒体に記憶されたオーディオ信号を再生する記録再生装置が広く普及している。
このような記録再生装置では、マイクロフォンにより収音して得たオーディオ信号や、入力端子を介して外部から入力したオーディオ信号を記録（録音）するのにあたり、この録音対象のオーディオ信号のレベルが無音とみなせる状態にあるか否かについて検出し、無音とみなされる状態では実際の記録媒体への記録を停止させることで、有音の状態のオーディオ信号のみが録音されるようにした機能を有するものがある。つまり、有音部分の優先的な取得、録音を行うための機能である。この機能により、例えば会議などの録音を行った場合であれば、特に発言がされていないような状況時の録音内容は省かれていることになるので、再生して聞き直すときの時間効率が高まり、また、記憶媒体の記憶容量の節約にもなる。また、楽曲を録音した場合であれば、例えば録音音源における曲間の無音状態が必要以上に長いような場合には、この無音状態が録音されなくなるので、再生して聴くときには曲間で待たされることが無くなって聴きやすくなる。
【０００３】
【特許文献１】特開平７−１１１０６８号公報
【発明の開示】
【発明が解決しようとする課題】
【０００４】
しかしながら、上記したような無音の状態を高い信頼性で検出すること、また、録音内容などに応じて的確に検出することは困難であるというのが実情である。例えば、内容的には無音であっても、何らかの原因でノイズなどが残留することで、有音であると検出される場合がある。この場合には、無音として録音されないべきであるのに、実際には録音が行われることになる。また逆に、実際に無音でなくて意味のある音が出ている、あるいは確かに無音ではあるが、前後の流れからして内容的に必要な無音状態であるのに、無音であると検出されて録音されない結果となってしまう場合もある。
また、このような無音検出に応じた録音停止機能では、無音状態から有音状態に復帰したことが検出されるのに応じて録音を再開させることになるが、検出が行われた時点から、実際に記憶媒体への録音が開始するまでのタイムラグなどが原因で、有音に復帰した冒頭の部分が録音されないような結果も生じている。
このようにして、現状においては、録音時においてリアルタイムに無音検出を行って録音を停止させるという機能については、実用的に十分な信頼性を持たせることが難しい。
そこで本発明は、例えばオーディオ信号の有音部分の優先取得に相当するような編集について、上記したようなレベル検出の不確実性に起因する不都合を補い、最終的にはできるだけユーザの要求、意図に適った編集結果が効率的に得られるようにすることを目的とする。
【課題を解決するための手段】
【０００５】
そこで本発明は上記した課題を考慮して、編集装置として次のように構成する。
つまり、所定の管理単位によりオーディオデータが記録される記録媒体から、編集対象となる管理単位のオーディオデータを読み出す読み出し手段と、この読み出し手段により読み出されたオーディオデータのレベルを検出するレベル検出手段と、このレベル検出手段の検出出力に基づいて所定のレベル状態に応じたオーディオデータの区間を検出する区間検出手段と、この区間検出手段による上記オーディオデータの区間についての検出結果に基づいて、管理単位についての分割処理を行う分割手段と、この分割手段による分割処理後に得られた管理単位に付される番号である管理単位番号について、同じ所定のレベル状態に応じたオーディオデータの管理単位の集合ごとに管理単位番号が連続するようにして変更する管理番号変更手段とを備えることとした。
【０００６】
上記構成では、記憶媒体に記憶済みとされているオーディオデータのレベルの検出結果に基づいて、レベル状態に応じてオーディオデータの区間分けをし、この区間分けの結果に応じて、記憶媒体に記憶されているオーディオデータについて管理単位の分割を行うようにされる。これにより、記憶媒体に記憶済みのオーディオデータは、レベル状態に応じて区分される管理単位に分割されることになる。つまり、本発明では、レベル状態に応じた管理単位の分割が自動的に行われる。
そのうえで、さらに、分割後の管理単位については、同じレベル状態のオーディオデータによる管理単位の集合ごとに管理単位番号が連続するようにして、管理単位番号を付与するようにされる。これによっては、レベル状態の分類が異なる管理単位群同士で、管理単位番号による振り分けが行われることになる。これは、例えばオーディオデータのレベル状態に応じた有用性に従って、記憶媒体に記憶済みのオーディオデータを管理単位により振り分けることが可能であることを意味する。
【発明の効果】
【０００７】
このようにして本発明は、記憶媒体に記憶済みのオーディオデータについて、先ず、レベル状態に応じた管理単位の分割を自動的に実行したうえで、オーディオデータのレベル状態に応じた有用性に従って、記憶媒体に記憶済みのオーディオデータを管理単位により振り分けることができる。この振り分けにより、例えばユーザにとって有用性の高いレベル状態のオーディオデータについて連続した管理単位番号で管理されることになるので、これらの管理単位のオーディオデータを優先して再生したいときの効率、利便性が高まることになる。また、他の有用性の低い（あるいは不要な）レベル状態のオーディオデータも、例えば消去などされずに、連続した管理単位番号で管理されるようにして記憶媒体に記憶されたままとなっていることで、再利用が可能であり、また、再利用の操作などの作業も行いやすいものとなる。
【発明を実施するための最良の形態】
【０００８】
本発明の実施の形態は、ミニディスク（ＭＤ：Mini Disc  商標）に対応してオーディオデータの記録再生が可能とされるＭＤ記録再生装置を例に挙げる。ミニディスクは周知のようにして光磁気ディスクの１つであり、本実施の形態のＭＤ記録再生装置によっては、ミニディスクに対してオーディオデータを記録し、また再生することができる。また、ミニディスクのフォーマットとして、オーディオデータは、トラック（管理単位）といわれる単位により記録再生の管理が行われるようにして記録されるものとしている。
【０００９】
図１のブロック図は、本実施の形態のＭＤ記録再生装置１の構成を示している。
ミニディスク（以降、単にディスクともいう場合がある）９０は、上記もしているように光磁気ディスクの１種であり、周知のフォーマットに従ってオーディオデータの記録再生が行われる。
【００１０】
ディスク９０に対するデータの読み出し、書き込みを実行するために、光学ピックアップ（光学ヘッド３）、及び磁気ヘッド６ａが備えられる。また、ディスク９０はスピンドルモータ２によって、回転駆動されるようになっている。
【００１１】
光学ヘッド３は、磁気ヘッド６ａに対して、装填されたディスク９０を挟んで対向する位置に設けられている。この光学ヘッド３は対物レンズ３ａと二軸機構４と、図示しない半導体レーザ及び半導体レーザの出射光が上記光磁気ディスクの表面で反射して、その反射光を受光する受光部を有して構成されている。
二軸機構４は、対物レンズ３ａをディスク９０に接離する方向と、ディスク半径方向に移動させるための駆動機構部位である。また、スレッド機構５は、二軸機構４の可動範囲を超えて対物レンズ３ａをディスク半径方向に移動させるための機構部位である。
【００１２】
光学ヘッド３では、ディスク９０の信号記録面に対してレーザ光を照射し、その反射光を受光部にて受けるようにされる。この受光部が検知した反射光情報は、ＲＦアンプ７に供給され、電流−電圧変換された後、マトリクス演算処理が行われ、フォーカスエラー信号ＦＥ、トラッキングエラー信号ＴＥが生成されるとともにＲＦ信号も生成される。
再生信号であるＲＦ信号は、ディスク９０上に記録時より低いレーザパワーで光を照射した際に、反射光の磁気Kerr効果を利用して磁界ベクトルを検知して、検知した磁界ベクトルに基づいて生成されることになる。
【００１３】
ＲＦアンプ７で生成されたフォーカスエラー信号ＦＥ、トラッキングエラー信号ＴＥはサーボ回路９にて位相補償、利得調整等をされたのちにドライブアンプ（図示せず）を介して二軸機構４のフォーカス用コイルと、トラッキング用コイルとに印加される。
さらにトラッキングエラー信号ＴＥからは、サーボ回路９内にてＬＰＦ（Low Pass Filter ）を介してスレッドエラー信号が生成され、スレッドドライブアンプ（図示せず）を介してスレッド機構５に印加される。これらの動作により、ディスク９０に対する記録再生時のトラッキング制御、フォーカス制御、シーク制御などが行われる。
【００１４】
また、ＲＦアンプ７にて生成されたＲＦ信号は、ＥＦＭ／ＣＩＲＣエンコーダ・デコーダ８にて、２値化されてＥＦＭ復調(Eight To Fourteen Modulation ) されるとともに、ＣＩＲＣ（Cross Interleave Read Solomon Coding）の方式に従ったエラー訂正処理が行なわれて、メモリコントローラ１２に供給される。
【００１５】
ディスク９０には予めグルーブ（溝）が形成されている。このグルーブは、所定周波数に応じた物理的な蛇行形状により、ＦＭ変調されたディスク上のアドレスが記録されている。
このアドレスの情報はアドレスデコーダ１０にて所定周波数のみを通過するＢＰＦ（バンドパスフィルター）を介してＦＭ復調することで抽出される。
ＥＦＭ／ＣＩＲＣエンコーダ・デコーダ８では２値化したＥＦＭ信号もしくはアドレスデコーダ１０にて抽出されたアドレスデコーダに基づいて、ディスク９０をCLV(線速度一定：Constant Liner Velocityにより回転制御するためのスピンドルエラー信号を生成してサーボ回路９を介してスピンドルモータ２に印加する。
更にＥＦＭ／ＣＩＲＣエンコーダ・デコーダ８では２値化したＥＦＭ信号に基づいて、再生信号処理タイミングをとるための再生クロックを生成する。
【００１６】
エラー訂正後の２値化データは、メモリコントローラ１２によって、所定の転送レートでバッファメモリ１３に書き込まれる。なお、この書き込みは、バッファメモリ１３のデータ蓄積状態に応じて間欠的に実行される。
メモリコントローラ１２は、バッファメモリ１３に対する書き込み転送レートよりも低い所定の転送レートにより継続的な読み出しを実行し、オーディオ圧縮符号化に対応するエンコーダ／デコーダ１４に対して転送される。
【００１７】
上記のようにして、再生時において、バッファメモリ１３には、所定データ転送レートによる間欠的なデータの書き込みと、これより低速なデータ転送レートによる継続的な読み出しが実行されることで、いわゆるリングバッファとして機能する。これにより、バッファメモリ１３は、定常的に一定以上の再生データを蓄積するようにされる。このような動作とされることで、例えば振動等の外乱に対して不要なトラックジャンプ等が生じて光学ヘッド３からの連続したデータ読み出しが途絶えたとしても、光学ヘッド３のトラックジャンプが発生したアドレスへの再配置に要する時間に相当するデータは予めバッファメモリ１３に蓄積されているので、オーディオ出力の音声としては連続した（音のとぎれのない）出力が実現できる。つまり、いわゆるショックプルーフといわれる機能を有する。
【００１８】
ディスク９０に記録されているデータは、所定の音声圧縮符号化方式により圧縮処理が施された形式となっている。バッファメモリ１３から読み出された再生データは、エンコーダ／デコーダ１４により圧縮符号化に対する復調処理が施されて、所定のサンプリング周波数、量子化ビットによるデジタルオーディオ信号とされてメモリ１５に転送されて書き込みが行われる。
【００１９】
このメモリ１５では、エンコーダ／デコーダ１４から転送され、一旦書き込みが行われたデジタルオーディオ信号のデータを、Ｄ／Ａコンバータ１６のクロックに適合したデータレートにより読み出して、Ｄ／Ａコンバータ１６に対して入力させる。Ｄ／Ａコンバータ１６は、入力されたデジタルオーディオ信号をアナログオーディオ信号に変換して、オーディオ出力端子１７に対して出力する。オーディオ出力端子１７から出力されたオーディオ信号は、例えば再生出力系（アンプ、スピーカ、ヘッドホン等）に入力されることで最終的に再生音声として出力することができる。
【００２０】
また、本実施の形態では、メモリ１５に書き込まれたデジタルオーディオ信号のデータについては、レベル検出部２２に対しても読み出しを行って出力することができるようになっている。レベル検出部２２においては、入力されたデジタルオーディオ信号のデータを対象として、信号レベルの検出を実行する。検出により得た信号レベルの情報は、システムコントローラ１１に転送される。これにより、システムコントローラ１１は、例えばディスク９０から再生したオーディオ信号のレベルを認識することができる。なお、この構成では、ディスク９０に対する記録のためにメモリ１５に書き込まれたデジタルオーディオ信号についても、レベル検出部２２により検出可能とされているが、本実施の形態では、レベル検出部２２による信号レベル検出は、ディスク９０から読み出して得られるデジタルオーディオ信号を対象として行う。
【００２１】
また、本実施の形態のＭＤ記録再生装置１によりオーディオ信号をディスク９０に記録する場合には、アナログのオーディオ信号をオーディオ入力端子１９から入力させる。なお、オーディオ入力端子１９に入力される。この場合において、オーディオ入力端子１９に入力されるオーディオ信号は、他のオーディオ機器のアナログ出力端子から出力されたオーディオ信号、また、マイクロフォンなどにより収音して得られたオーディオ信号などとなる。オーディオ入力端子１９に入力されたオーディオ信号は、Ａ／Ｄコンバータ１８により所定のサンプリング周波数、量子化ビットによるデジタルオーディオ信号に変換されて、メモリ１５に対して一旦書き込まれた上で読み出しが行われ、エンコーダ／デコーダ１４に対して転送される。
なお、実際のＭＤ記録再生装置１においては、所定のデジタルオーディオインターフェイスなどにより、所定のデジタルデータ形式によるオーディオ信号の入出力が可能に構成されても良いのであるが、ここでは、その図示は省略している。
【００２２】
エンコーダ／デコーダ１４では、転送されてくるデジタルオーディオ信号について、所定の音声圧縮符号化方式により圧縮符号化を実行する。メモリコントローラ１２は、エンコーダ／デコーダ１４により圧縮符号化されたデジタルオーディオ信号のデータを取り込んで、所定のビットレートによるバッファメモリ１３への書き込みを実行する。
また、メモリコントローラ１２は、バッファメモリ１３からデータの読み出しを行って、エンコーダ／デコーダ８に対して転送する。
この記録時におけるバッファメモリ１３に対する書き込みのためのデータレートと、読み出しのためのデータレートは、再生時の速度関係と対応している。つまり、バッファメモリ１３に対する書き込みのデータレートに対して、読み出しのデータレートは高速に実行される。そして、バッファメモリ１３からのデータの読み出しは、バッファメモリ１３におけるデータの蓄積状態に応じて、間欠的に実行するようにされている。これにより、バッファメモリ１３のデータ蓄積量は、常に一定以下となるようにされる。そして、このような動作が、記録時におけるショックプルーフの機能を果たすことになる。つまり、データの書き込みがエラーとなっても、リングバッファとしてのバッファメモリ１３がオーバーフローしない限りは、ディスク９０への正常なデータ書き込みが保証される。
【００２３】
バッファメモリ１３から読み出されたデータはＥＦＭ／ＣＩＲＣエンコーダ／デコーダ８においてＣＩＲＣ方式によるエラー訂正符号の付加、ＥＦＭ変調等の処理が施されて磁気ヘッド駆動回路６に供給される。
磁気ヘッド駆動回路６は供給されたデータに応じて磁気ヘッド６ａのＮ極又はＳ極の磁界印加駆動を行う。
またこのような磁界印加を行う記録時には、システムコントローラ１１は光学ヘッド３の図示しない半導体レーザの出射パワーを再生時のときよりも高パワーに制御して光磁気ディスクの表面をキューリー温度まで加熱するようにする。これにより磁気ヘッド６ａから印加された磁界に応じたピットがディスク記録面に形成されていくようにして、データの記録が行われる。
【００２４】
システムコントローラ１１は、ＣＰＵ(Central Processing Unit)、ＲＯＭ、ＲＡＭなどから成るマイクロコンピュータを備え、ＭＤ記録再生装置１における各種制御処理を実行する。
表示部２０は、システムコントローラ１１の表示制御により、適宜所要の内容の表示が行われるもので、例えばその表示部位が、ＭＤ記録再生装置１の本体に表出するようにして設けられる。
操作部２１は、この場合には、ＭＤ記録再生装置１に対する操作を行うために、ＭＤ記録再生装置１本体や、リモートコントローラなどに設けられる各種の操作子と、これらの操作子に対して行われた操作に応じたコマンド信号を発生して、システムコントローラ１１に出力する部位とを一括して示している。システムコントローラ１１は、操作部２１からのコマンド信号を受け付けると、そのコマンド信号に応答した制御処理を実行する。
【００２５】
上記構成によるＭＤ記録再生装置１では、上記のようにしてディスク９０に記録されるオーディオデータは、トラックといわれる、再生時間的に連続したオーディオ信号の単位により管理されるようになっている。このような管理は、同じディスク９０に記録される管理情報によって実現される。
ミニディスクの管理情報は、周知のようにして、Ｐ−ＴＯＣ（プリマスタードＴＯＣ(Table Of Contents)）、Ｕ−ＴＯＣ（ユーザＴＯＣ）として、ディスクにおける所定領域に記録されることとなっている。上記したようなオーディオデータについてのトラック単位での記録再生管理は、Ｕ−ＴＯＣが対応する。
これら管理情報は、記録再生時においては、例えばバッファメモリ１３（あるいはシステムコントローラ１１内のＲＡＭでもよい）などの装置内部の記憶領域に保持される。システムコントローラ１１はこれらの管理情報を、ディスク９０が装填された際に管理情報の記録されたディスクの最内周側から読み出して装置内部の記憶領域に保持させる。そして以後においては、装置内部の記憶領域に保持された管理情報を参照して記録再生制御を実行するようにされる。
【００２６】
また、Ｕ−ＴＯＣはデータの記録や各種編集処理に応じて書き換えられる。システムコントローラ１１は記録／編集動作が実行されるのに応じて、Ｕ−ＴＯＣの更新処理をバッファメモリ１３に記憶されたＵ−ＴＯＣ情報に対して行ない、所定のタイミングで、ディスク９０に記録されているＵ−ＴＯＣについても書き換えるようにしている。
【００２７】
また、Ｕ−ＴＯＣでは、ディスク単位、及びトラック単位での名称（ディスクネーム、トラックネーム）を管理できるようにもなっている。これらディスクネーム、トラックネームの付与は、ユーザの操作部２１に対する所定操作により行えるようになっている。
【００２８】
上記のようにして、ＭＤ記録再生装置１は、Ｕ−ＴＯＣによりデジタルオーディオデータをトラック単位で管理し、また、ディスクネーム、トラックネームなどの管理も行えるようにされている。そこで、Ｕ−ＴＯＣについて説明する。
【００２９】
図２はＵ−ＴＯＣセクター０の構造を示している。Ｕ−ＴＯＣは、ミニディスクにおける物理的なデータ記録単位であるセクターを基とした構造になっており、このセクター単位によるＵ−ＴＯＣをＵ−ＴＯＣセクターという。また、Ｕ−ＴＯＣセクターとしてはセクター０、セクター１、セクター２、セクター４が定義されている。セクター０が、ディスクに記録されるオーディオデータを直接的に管理し、セクター１，セクター４は文字情報、セクター２は録音日時などを管理するためのＵ−ＴＯＣとなる。ここでは、本実施の形態に関連するものとして、Ｕ−ＴＯＣセクター０、Ｕ−ＴＯＣセクター１について説明を行なうこととする。
【００３０】
Ｕ−ＴＯＣセクター０のデータ領域（４バイト×588 の２３５２バイト）は、先頭位置にオール０又はオール１の１バイトデータが並んで形成される同期パターンが記録される。続いてクラスタアドレス(Cluster H) (Cluster L) 及びセクターアドレス(Sector)となるアドレスや、モード情報(MODE)が４バイト付加され、以上でヘッダが形成される。
【００３１】
セクターとは、上述のように２３５２バイトのデータ単位であり、３６セクターが１クラスタとなる。同期パターンやアドレスについては、このＵ−ＴＯＣセクター０に限らず、Ｐ−ＴＯＣセクターや、実際に音声データが記録されるデータセクターでも、そのセクター単位に記録されている。
クラスタアドレスは、上位アドレス(Cluster H) と下位アドレス(Cluster L) の２バイトで記され、セクターアドレス(Sector)は１バイトで記される。
続いて所定バイト位置に、メーカーコード、モデルコード、最初のトラックのトラックナンバ(First TNO）、最後のトラックのトラックナンバ（Last TNO）、セクター使用状況(Used sectors)、ディスクシリアルナンバ、ディスクＩＤ等のデータが記録される。
【００３２】
さらに、ユーザが録音を行なって記録されているトラック（楽曲等）の領域やフリーエリア等を後述する管理テーブル部に対応させることによって識別するため、対応テーブル指示データ部として各種のテーブルポインタ(P-DFA，P-EMPTY，P-FRA，P-TNO1〜P-TNO255)が記録される領域が用意されている。
【００３３】
そしてテーブルポインタ(P-DFA〜P-TNO255)に対応させることになる管理テーブル部として(01h)〜(FFh)までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
なお本明細書においてｈを付した数値はいわゆる１６進表記であることを示す。また、パーツとは、１つのトラック内で再生時間的に連続したオーディオデータが、ディスク上において物理的に連続して記録されている部分のことをいう。
【００３４】
ミニディスクのフォーマットとしては、１トラック分のデータについて、ディスク上の物理的アドレスが不連続となるように、複数のパーツにわたって離散して記録されていても、パーツを繋いでアクセスしながら再生していくことにより再生時間的に連続した再生が可能なようになっている。
リンク情報は、このようなパーツ間のつながりを適正管理するために設けられる。リンク情報によっては、例えば各パーツテーブルに与えられたナンバ(01h)〜(FFh) によって、次に連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成されるトラックについてはリンク情報によって連結される３つのパーツテーブルによって、そのパーツ位置の管理が行われる。
【００３５】
Ｕ−ＴＯＣセクター０の管理テーブル部における(01h)〜(FFh) までの各パーツテーブルは、対応テーブル指示データ部におけるテーブルポインタ(P-DFA，P-EMPTY ，P-FRA ，P-TNO1〜P-TNO255) によって、以下のようにそのパーツの内容が示される。
【００３６】
テーブルポインタP-DFA はディスク９０上の欠陥領域について示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタP-DFA において(01h)〜(FFh)の何れかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば「(00h)」とされ、以降のリンク（連結）が無いことを意味する。
【００３７】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTYとして、(01h)〜(FFh)のうちの何れかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００３８】
テーブルポインタP-FRA はディスク９０上のデータの書込可能なフリーエリア（消去済み領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタP-FRA において(01h)〜(FFh)の何れかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が「(00h) 」となるパーツテーブルまで順次指定されている。
【００３９】
図３は、Ｕ−ＴＯＣに基づいた領域管理例として、フリーエリアとなるパーツの管理例を模式的に示している。これはパーツ(03h)(18h)(1Fh)(2Bh)(E3h)がフリーエリアとされている時に、この状態が対応テーブル指示データP-FRA に引き続きパーツテーブル(03h)(18h)(1Fh)(2Bh)(E3h)のリンクによって表現されている状態を示している。各パーツテーブルにおけるスタートアドレスとエンドアドレスの領域には、そのパーツについての実際のアドレスの値を格納する。なお、上記した欠陥領域や未使用パーツテーブルの管理形態もこれと同様となる。
【００４０】
ところで、オーディオデータが全く記録なされておらず欠陥もない光磁気ディスクであれば、テーブルポインタP-FRAによってパーツテーブル(01h)が指定され、これによってディスクのレコーダブルユーザエリアの全体がフリーエリアであることが示される。そして、この場合残る(02h)〜(FFh)のパーツテーブルは使用されていないことになるため、上記したテーブルポインタP-EMPTYによってパーツテーブル(02h)が指定され、また、パーツテーブル(02h)のリンク情報としてパーツテーブル(03h) が指定され・・・・・・、というようにパーツテーブル(FFh)まで連結される。この場合パーツテーブル(FFh)のリンク情報は以降連結なしを示す「(00h)」とされる。
なお、このときパーツテーブル(01h)については、スタートアドレスとしてはレコーダブルユーザエリアのスタートアドレスが記録され、またエンドアドレスとしてはリードアウトスタートアドレスの直前のアドレスが記録されることになる。
なお、ここではポインタP-FRAを例に説明しているがポインタP-DFAと、次に説明するP-EMPTY、P-TNO1,P-TNO2,〜P-TNO255も同様に離散的に存在するパーツを結合して管理する。
【００４１】
説明を図２に戻す。
テーブルポインタP-TNO1〜P-TNO255は、ディスク９０にユーザが記録を行ったオーディオデータのトラックについて示しており、例えばテーブルポインタP-TNO1では第１トラックのデータが記録された１又は複数のパーツのうちの時間的に先頭となるパーツが示されたパーツテーブルを指定している。
例えば第１トラックとされたオーディオデータがディスク上でトラックが分断されずに、つまり１つのパーツで記録されている場合は、その第１トラックの記録領域はテーブルポインタP-TNO1で示されるパーツテーブルにおけるスタート及びエンドアドレスとして記録されている。
【００４２】
また、例えば第２トラックとされたオーディオデータがディスク上で複数のパーツに離散的に記録されている場合は、その第２トラックの記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が「(00h)」となるパーツテーブルまで連結される。このように例えば第２トラックとしてのデータが記録された全パーツが順次指定される。
【００４３】
続いて、ディスク９０の領域構造を説明したうえで、管理情報によるオーディオデータの管理例についての説明を行う。
図４はディスク９０の領域構造をその半径方向に沿って模式的に示している。ミニディスクは、大別してエンボスピットによりデータが記録されている最内周側のピットエリアと、これより外周側の、いわゆるグルーブ（溝）が設けられているグルーブエリアに分けられる。ピットエリアは書き換え不可のＲＯＭ領域であり、グルーブエリアは、書き換え可能な領域となる。
【００４４】
ピットエリアにおいてはＰ−ＴＯＣが多重的に記録されており、このＰ−ＴＯＣには、Ｕ−ＴＯＣの位置を示すＵ−ＴＯＣスタートアドレスUSTAをはじめ、リードアウトスタートアドレスLOA 、レコーダブルユーザエリアスタートアドレスRSTA 、パワーキャリブレーションエリアスタートアドレスPCA等、図４に示す各領域を示すアドレスを格納している。
【００４５】
このピットエリアに続いてグルーブエリアが形成されるが、このグルーブエリア内のうちＰ−ＴＯＣ内のリードアウトスタートアドレスＬＯAとして示されるアドレスまでのエリアが、記録可能なレコーダブルエリアとされ、以降はリードアウトエリアとなる。
さらにこのレコーダブルエリアのうち、実際に音楽等のデータが記録されるレコーダブルユーザエリアは、レコーダブルユーザエリアスタートアドレスRSTAから、リードアウトスタートアドレスLOAの直前の位置までとなる。
【００４６】
そして、グルーブエリア内においてレコーダブルユーザエリアスタートアドレスRSTAより前となるエリアは、記録再生動作のための管理エリアとされ、上記したＵ−ＴＯＣが記録され、またパワーキャリブレーションエリアスタートアドレスPCAとして示される位置から１クラスタ分がレーザパワーのキャリブレーションエリアとして設けられる。
Ｕ−ＴＯＣはこの記録再生動作のための管理エリア内においてＵ−ＴＯＣスタートアドレスUSTAに示される位置から３クラスタ（１クラスタ＝３６セクター）連続して記録される。
【００４７】
実際のオーディオデータは、レコーダブルユーザエリアに記録される。図４では、４つのトラックＴｒ１〜Ｔｒ４により管理されるようにしてオーディオデータが記録されている場合を示している。
まずアドレスＡ0〜Ａ1のパーツとしてトラックＴｒ１が記録され、またトラックＴｒ２は、アドレスＡ2〜Ａ3から成る前半部分であるＴｒ２−１のパーツと、アドレスＡ6〜Ａ7から成る後半部分であるＴｒ２−２のパーツに分割されるようにして記録されている。また、トラックｔｒ３はアドレスＡ4〜Ａ5から成る１つのパーツとして記録され、トラックＴｒ４も、アドレスＡ8 〜Ａ9から成る１つのパーツとして記録されている。
この状態で、オーディオデータが記録されていない領域となるフリーエリアはアドレスＡ10〜Ａ11から成るパーツとなる。
【００４８】
図５は、上記図４に例示したオーディオデータの記録に対応するＵ−ＴＯＣセクター０の内容例を示している。
なお、この図において、Ｕ−ＴＯＣ内のテーブルポインタやリンク情報としての１バイトデータが００ｈとされている部分、及びスタートアドレス、エンドアドレスとしての３バイトデータが００００００ｈで無効を示す場合には、「−」と表記して示している。
また、ここでのレコーダブルユーザエリアには欠陥は無いものとしており、従ってテーブルポインタP-DFA は「００ｈ」とされている。
【００４９】
テーブルポインタP-FRAはフリーエリアを管理する。例えばこの場合、テーブルポインタP-FRA に（０６ｈ）というパーツテーブルが示されているとすると、これに対応してパーツテーブル（０６ｈ）には、図５でのフリーエリアとなるパーツについての情報が示されることになる。つまりアドレスＡ10がスタートアドレス、アドレスＡ11がエンドアドレスとして示される。なお、この場合他のフリーエリアパーツは存在しないため、パーツテーブル（０６ｈ）のリンク情報は「００ｈ」を示す。
【００５０】
また第１トラックＴｒ１についてはテーブルポインタP-TNO1に示される（０１ｈ）のパーツテーブルにおいてそのスタートアドレスＡ0 及びエンドアドレスＡ1 が示される。トラックＴｒ１は１つのパーツとして記録されているため、パーツテーブル（０１ｈ）のリンク情報は「００ｈ」を示す。
【００５１】
第２トラックＴｒ２については、テーブルポインタP-TNO2に示される（０２ｈ）のパーツテーブルにおいてそのスタートアドレスＡ2 及びエンドアドレスＡ3 が示されている。ただしトラックＴｒ２は２つのパーツ（Ｔｒ２−１とＴｒ２−２）に分割されて記録されており、アドレスＡ2及びアドレスＡ3はトラックＴｒ２の前半部分（Ｔｒ２−１）のパーツを示す。このため、パーツテーブル（０２ｈ）のリンク情報として例えばパーツテーブル（０４ｈ）が示され、パーツテーブル（０４ｈ）には後半部分（Ｔｒ２−２）のパーツに対応して、スタートアドレスＡ6及びエンドアドレスＡ7が格納される。以降のリンクはないためにパーツテーブル（０４ｈ）のリンク情報は「００ｈ」を示す。
【００５２】
トラックＴｒ３，トラックＴｒ４についても、それぞれテーブルポインタP-TNO3，P-TNO4を起点として得られるパーツテーブルによってそのパーツ位置が管理されている。また、この場合には、第５以降のトラックは記録されていないので、テーブルポインタP-TNO5〜P-TNO255には、使用していないことを示す「００ｈ」を格納するようにされる。
また、使用していないパーツテーブルを示すテーブルポインタP-EMPTY は、この場合パーツテーブル（０７ｈ）を示しており、パーツテーブル（０７ｈ）からパーツテーブル（ＦＦｈ）までの全ての未使用のパーツテーブルがリンク情報によってリンク（連結）されている。
【００５３】
図６は、Ｕ−ＴＯＣセクター１の構造を示している。
Ｕ−ＴＯＣセクター１では、トラックごとに付される名称となるトラックネームとしての文字情報や、ディスク全体に対応して付される名称となるディスクネームとしての文字情報が管理されている。
各トラックに対応するトラックネームとしての文字情報は、対応テーブル指示データのポインタP-TNA(x)（ｘは１から２５５) によって指示される文字テーブル内のスロットに記録されている。１つのスロットには７バイトの文字情報が記録できるが、文字数が多い場合はリンク情報を用いて複数のスロットを連結して記録を行うことができる。
【００５４】
また、周知のようにして、ミニディスクに対応する記録再生装置では、トラックを対象とする編集として、トラックの消去、分割、連結が可能とされている。このような編集も、管理情報（Ｕ−ＴＯＣ）の内容を書き換えることで実現される。
【００５５】
これまでの説明をふまえ、本実施の形態のＭＤ記録再生装置１において、レベル検出部２２による検出結果を利用して行われる編集動作例について、図７〜図１１を参照して説明する。
図７（ａ）は、或る１枚のミニディスク（ディスク９０）のレコーダブルユーザエリアにおけるオーディオデータの記録内容を模式的に示している。例えば、この図７（ａ）に示すようにして、第１〜第３トラックの３つのトラックを記録したミニディスクがあったとする。なお、この図では、第ｎトラックを、トラックナンバに対応させてトラックTNOｎと表記しており、第１、第２、第３トラックが、それぞれトラックTNO1、TNO2、TNO3として示される。また、ここでは、説明の便宜上、有効なデータが記録されていないフリーエリア、及びディフェクトエリアは無いものとして考える。また、トラックTNO1、TNO2、TNO3としては、それぞれ１つのパーツにより記録されているものとする。
そして、トラックTNO１は、スタートアドレスA0、エンドアドレスA1から成るパーツにより記録され、トラックTNO２は、スタートアドレスA2、エンドアドレスA3から成るパーツにより記録され、トラックTNO3は、スタートアドレスA4、エンドアドレスA5から成るパーツにより記録される。
【００５６】
図８は、上記図７（ａ）に示す記録内容に応じた、Ｕ−ＴＯＣセクター０の内容例を示している。
この場合には、トラックTNO1に対応するテーブルポインタP-TNO1には「０１ｈ」が格納され、パーツテーブル（０１ｈ）には、スタートアドレスＡ0 、エンドアドレスＡ1を示すデータがそれぞれ格納される。
また、トラックTNO2に対応するテーブルポインタP-TNO2には「０２ｈ」が格納され、パーツテーブル（０２ｈ）には、スタートアドレスＡ2 、エンドアドレスＡ3 がそれぞれ格納されている。
また、トラックTNO3に対応するテーブルポインタP-TNO3には「０３ｈ」が格納され、パーツテーブル（０３ｈ）には、スタートアドレスＡ4 、エンドアドレスＡ5 が格納される。
また、この場合にはフリーエリア、及びディフェクトエリアは無いものとしているので、テーブルポインタP-FRA、P-DFA には、それぞれ「００ｈ」が格納される。また、管理テーブル部の未使用領域がパーツテーブル（０４ｈ）以降となることに対応して、テーブルポインタP-EMPTY には、「０４ｈ」が格納されて、パーツテーブル（０４ｈ）〜（ＦＦｈ）までのすべての未使用のパーツテーブルが、リンク情報に格納する値によりリンクされる。
【００５７】
そして、本実施の形態のＭＤ記録再生装置１に対して、上記図７（ａ）に示す記録内容のミニディスクを装填したうえで、オーディオデータの信号レベルに応じたトラック分割（「レベル対応トラック分割」ともいうことにする）の編集を実行させるための所定操作を操作部２１に対して行ったとすると、例えば、以降の図７（ｂ）、（ｃ）（ｄ）に示す手順による編集処理が実行されていくことになる。
【００５８】
レベル対応トラック分割編集を指示する操作に応じて、ＭＤ記録再生装置１は、レベル対応トラック分割編集モードを設定する。このレベル対応トラック分割編集モードモードにおいては、そのときに装填されているディスク９０からのデータの読み出しを例えばトラック順により実行して、再生信号処理を実行するようにされる。この再生信号処理として、エンコーダ／デコーダが、圧縮符号化に対するデコード処理（伸長処理）を実行するが、このデコード処理により得られたデジタルオーディオ信号のデータは、メモリ１５に対して順次書き込まれる。レベル対応トラック分割編集モードにおいては、メモリ１５から読み出したデータを、レベル検出部２２に出力させる。
なお、レベル対応トラック分割編集モードにおける再生信号処理は、エンコーダ／デコーダ１４よるデコード処理であり、再生音声出力のためのＤ／Ａコンバータ１６によるアナログ信号への変換は行わない。つまり、この場合においてエンコーダ／デコーダ１４によりデコードされたデータは、メモリ１５からＤ／Ａコンバータ１６に対しては転送しないようにされている。
【００５９】
レベル検出部２２では、入力されたデジタルオーディオ信号についてのレベル検出を実行して、その検出したレベルの情報を、システムコントローラ１１に出力するようにされる。
システムコントローラ１１では、オーディオ信号のレベルについて、有音と無音の境界となる有音／無音閾値と、有音（通常レベル）と過大レベルの音との境界となる有音／過大閾値を設定しており、レベル検出部２２から入力されるレベル検出情報と、これらの閾値との比較を行うようにされる。そして、この比較結果に基づいて、システムコントローラ１１は、ミニディスクに記録されているオーディオデータについて、無音とされる無音区間と、有音（通常レベル）とされる有音区間と、過大レベルとされる過大音区間とによる区間分けを暫定的に行うようにされる。
【００６０】
図７（ａ）に示す記録内容のミニディスクについての、上記区間分けの結果例と、この結果を得るまでの手順を図７（ｂ）により説明する。
ここでのミニディスクに対する再生は、例えばトラック順によりオーディオデータの再生時間に従って行うものとする。従って、オーディオデータの再生は、トラックTNO１のスタートアドレスA０から開始される。システムコントローラ１１は、このようにしてオーディオデータが再生されていくのに応じて入力されるレベル検出信号と閾値とを比較していくようにされる。そして、この比較結果として、有音、無音、過大音の間でのレベル状態の変化を認識し、この変化点に応じたアドレスの情報を保持していくようにされる。
図７（ｂ）の場合には、トラックTNO1は、有音であると認識されるレベル状態から再生が開始されている。そして、この場合には、トラックTNO1の途中のアドレスA0-2となる位置にて、オーディオ信号レベルが、有音から無音とみなされるレベル範囲に変化したことが認識される。システムコントローラ１１は、この認識結果に基づいて、アドレスA0-2を無音開始位置として保持する。また、このアドレスA0-2を無音開始位置として設定して以降において、次は、トラックTNO１の途中におけるアドレスA0-4にて、これまで無音とされた状態から有音とされる状態に変化したことを認識しており、これに応じて、アドレスA0-4が有音開始位置として保持される。
以降においては、トラックTNO2の開始位置に相当するアドレスA2にて、これまで有音とされていた状態から無音の状態に変化したことが認識されており、これに応じて、アドレスA2が無音開始位置として保持される。続いては、トラックTNO2のアドレスA2-2にて、これまで無音とされていた状態から過大音に変化したことが認識され、これに応じて、アドレスA2-2が過大音開始位置として保持される。
そして、この過大音の状態から有音（通常レベル範囲）に変化したことが、アドレスA2-4にて認識され、このアドレスA2-4が有音開始位置として保持される。このアドレスA2-4以降の有音状態は、トラックTNO3が終了するまで継続されており、この間においてレベル変化の開始位置は生じていない。
【００６１】
このようにして、システムコントローラ１１においては、レベル状態変化の開始位置の情報として、［アドレスA0-2：無音開始位置］、［アドレスA0-4：有音開始位置］、［アドレスA2：無音開始位置］、［アドレスA2-2：過大音開始位置］、［アドレスA2-4：有音開始位置］の５つが保持されることになる。
そして、これらのレベル状態変化の開始位置に基づけば、トラックTNO1〜TNO3としての区間は、有音が継続する有音区間と、無音が継続する無音区間と、過大音が継続する過大音区間との３種類の区間により、さらに分割（細分化）できることになる。
【００６２】
図７（ｂ）の場合であれば、先ず、トラックTNO1の開始アドレスであるアドレスA0から、最初に無音開始位置であると認識されたアドレスA0-2の直前のアドレスであるアドレスA0-1までの区間１−１は、有音状態が継続する有音区間として区分されることになる。
また、これに続いて、上記無音開始位置のアドレスA0-2から、有音開始位置であるアドレスA0-4の直前のアドレスA0-3までの区間１−２は、無音状態が継続する無音区間として区分されることになる。
また、上記有音開始位置であるアドレスA0-4から、トラックTNO1のエンドアドレスであるアドレスA1までの区間１−３は、再び有音状態が継続する有音区間となる。
また、トラックTNO2においては、トラックTNO2のスタートアドレスであり、かつ、無音開始位置であるアドレスA2から、過大音開始位置のアドレスＡ2-2の直前アドレスＡ2-1までの区間２−１が無音区間となる。
また、上記過大音開始位置のアドレスＡ2-2から、有音開始位置A2-4の直前アドレスA2-3までの区間２−２は、過大音が継続するとされる過大音区間となる。
上記有音開始位置A2-4からトラックTNO2のエンドアドレスA3までの区間は、有音区間となる。
最後のトラックTNO3は、その中間においてレベル変化の開始位置の情報が無いことから、スタートアドレスA４からエンドアドレスA5まで、トラックTNO3と同じ区間３が有音区間となる。
【００６３】
このようにして、１つのトラックについて、有音区間、無音区間、及び過大音区間により区分設定を行ったとされると、続いては、この区分設定に従って、トラックTNO1〜TNO3についてトラック分割を行うようにされる。このトラック分割の結果を図７（ｃ）に示す。
図７（ｂ）と図７（ｃ）との比較から分かるように、図７（ｂ）に示される元のトラックＴＮＯ1は、先頭から、有音区間１―１、無音区間１−２、有音区間１−３の３つのトラックに分割される。また、元のトラックTNO2は、先頭から無音区間２−１、過大音区間２−２、有音区間２−３の３つのトラックに分割される。元のトラックTNO３については、分割されることなく同じ１つのトラックとして残る。
このとき、分割後の各区間のトラックのトラックナンバとしては、元のトラックナンバの順序と、トラック内における再生時間の順序に従って設定されるのが順当である。つまり、下記のようにして、
有音区間１−１：トラックTNO1
無音区間１−２：トラックTNO2
有音区間１−３：トラックTNO3
無音区間２−１：トラックTNO4
過大音区間２−２：トラックTNO5
有音区間２−３：トラックTNO6
有音区間３：トラックTNO7
となるようにして、区間ごとのトラックに対してトラックナンバを割り振るようにされる。本実施の形態としては、先ず、この割り振り方によりトラック分割を行った結果をＵ−ＴＯＣに反映させるものとする。
【００６４】
図９は、上記図７（ｃ）に示すトラック分割の結果に応じて更新される、Ｕ−ＴＯＣセクター０の内容例を示している。
この場合には、トラックTNO1に対応するテーブルポインタP-TNO1には「０１ｈ」を格納したうえで、パーツテーブル（０１ｈ）には、有音区間１−１に対応する、スタートアドレスＡ0 、エンドアドレスＡ0−1が格納される。
また、トラックTNO2に対応するテーブルポインタP-TNO2には「０２ｈ」が格納され、パーツテーブル（０２ｈ）には、無音区間１−２に対応するスタートアドレスＡ0-2 、エンドアドレスＡ0-3がそれぞれ格納されている。
トラックTNO3に対応するテーブルポインタP-TNO3には「０３ｈ」が格納され、パーツテーブル（０３ｈ）には、有音区間１―３に対応するスタートアドレスＡ0-4 、エンドアドレスＡ1が格納される。
トラックTNO4に対応するテーブルポインタP-TNO4には「０４ｈ」が格納され、パーツテーブル（０４ｈ）には、無音区間２−１に対応するスタートアドレスＡ2 、エンドアドレスＡ2-1が格納される。
トラックTNO5に対応するテーブルポインタP-TNO5には「０５ｈ」が格納され、パーツテーブル（０５ｈ）には、過大音区間２−２に対応するスタートアドレスＡ2-2 、エンドアドレスＡ2-3が格納される。
トラックTNO6に対応するテーブルポインタP-TNO6には「０６ｈ」が格納され、パーツテーブル（０６ｈ）には、有音区間２−３に対応するスタートアドレスＡ2-4 、エンドアドレスＡ3が格納される。
トラックTNO7に対応するテーブルポインタP-TNO7には「０７ｈ」が格納され、パーツテーブル（０７ｈ）には、有音区間２−３に対応するスタートアドレスＡ4 、エンドアドレスＡ5が格納される。
管理テーブル部の未使用領域は、パーツテーブル（０８ｈ）以降となることに対応して、テーブルポインタP-EMPTY には、「０８ｈ」が格納され、パーツテーブル（０８ｈ）〜（ＦＦｈ）までのすべての未使用のパーツテーブルが、リンク情報に格納する値によりリンクされる。
【００６５】
上記のようにしてトラック分割が行われることで、ミニディスクに記録されたオーディオデータにトラックは、無音区間、有音区間、あるいは過大音区間としてのいずれかであることになる。そこで、本実施の形態のレベル対応トラック分割処理としては、さらに、これら無音区間、有音区間、及び過大音区間とに大別されるようにして、トラックの移動（トラックナンバの割り当て直し）を行うようにされる。このトラック移動の手順及び結果を図７（ｄ）に示す。
【００６６】
この場合のトラック移動としては、先ず、有音区間以外のトラックを、後ろのトラックに移動させる。これにより、第１トラックから以降の上位のトラックナンバのトラックとしては、有音区間のトラックが割り当てられるようにされ、これより下位のトラックナンバに対して、有音区間以外の無音区間と過大音区間のトラックが割り当てられるようにする。この場合には、無音区間と過大音区間との間では、無音区間のほうが前のトラックとなるようにしている。なお、有音区間のトラック同士、無音区間のトラック同士、過大音区間のトラック同士におけるトラック順は、移動前のトラック順に従うものとする。
このような規則に従ってトラック移動を行ったとすると、図７（ｃ）から図７（ｄ）への遷移として示すように、各区間のトラックとトラックナンバとの関係は、
TNO1：有音区間１−１
TNO2：有音区間１−３
TNO3：有音区間２−３
TNO4：有音区間３
TNO5：無音区間１−２
TNO6：無音区間２−１
TNO7：過大音区間２−２
のようになる。このようにして、トラックTNO1〜TNO4までは有音区間のトラックが集められ、これより後ろのトラックTNO5〜TNO6に対して、無音トラックと過大音トラックがそれぞれ集められるようにして、区間に対するトラックの振り分けが行われたことになる。
【００６７】
また、上記のようにして、トラックを移動させると共に、移動された無音区間及び過大音区間のトラックについては、トラックネームを付すこととしている。このトラックネームは、図７（ａ）に示す分割処理前のトラックの再生時間としてみた場合において、そのトラックが、他の分割処理後のトラックの何れと連結しているのかが認識できるように配慮された内容を有するべきものとされる。この場合には、次のようにしてトラックネームを付している。
先ず、無音区間１−２であるトラックTNO5については、
「Ｔｒａｃｋ１―２／Ｎｏ  Ｓｏｕｎｄ」
のトラックネームが付される。このトラックネームは、「Ｔｒａｃｋ１―２」により、分割後のトラックTNO1を分割して得られたトラックのうちで、2番目となるトラックであることを示し、「Ｎｏ  Ｓｏｕｎｄ」により無音区間のトラックであることを示す。
また、無音区間２−１であるトラックTNO6については、
「Ｔｒａｃｋ２−１／Ｎｏ  Ｓｏｕｎｄ」
のトラックネームが付されることで、元のトラックTNO2を分割して得られたトラックのうちで、１番目となるトラックであることを示し、「Ｎｏ  Ｓｏｕｎｄ」により無音区間であることを示す。
また、過大音区間２−２であるトラックTNO7については、
「Ｔｒａｃｋ２−２／Ｐｅａｋ  Ｏｖｅｒ」
のトラックネームが付されることで、元のトラックTNO2を分割して得られたトラックのうちで、２番目となるトラックであることを示し、「Ｐｅａｋ  Ｏｖｅｒ」により過大音区間であることを示す。本実施の形態のレベル対応トラック分割処理は、この図７（ｄ）に示すまでの処理を自動実行するようにされる。
【００６８】
図１０は、上記図７（ｄ）に示すトラック移動の結果に応じて更新される、Ｕ−ＴＯＣセクター０の内容例を示している。
この場合には、トラックTNO1に対応するテーブルポインタP-TNO1には「０１ｈ」を格納したうえで、パーツテーブル（０１ｈ）には、有音区間１−１に対応する、スタートアドレスＡ0 、エンドアドレスＡ0−1が格納される。
また、トラックTNO2に対応するテーブルポインタP-TNO2には「０２ｈ」が格納され、パーツテーブル（０２ｈ）には、有音区間１―３に対応するスタートアドレスＡ0-4 、エンドアドレスＡ1が格納される。
トラックTNO3に対応するテーブルポインタP-TNO3には「０３ｈ」が格納され、パーツテーブル（０３ｈ）には、有音区間２−３に対応するスタートアドレスＡ2-4 、エンドアドレスＡ3が格納される。
トラックTNO4に対応するテーブルポインタP-TNO4には「０４ｈ」が格納され、パーツテーブル（０４ｈ）には、有音区間３に対応するスタートアドレスＡ4、エンドアドレスA5が格納される。
トラックTNO5に対応するテーブルポインタP-TNO5には「０５ｈ」が格納され、パーツテーブル（０５ｈ）には、無音区間１−２に対応するスタートアドレスＡ0-2 、エンドアドレスＡ0-3が格納される。
トラックTNO6に対応するテーブルポインタP-TNO6には「０６ｈ」が格納され、パーツテーブル（０６ｈ）には、無音区間２−１に対応するスタートアドレスＡ2 、エンドアドレスＡ2-1が格納される。
トラックTNO7に対応するテーブルポインタP-TNO7には「０７ｈ」が格納され、パーツテーブル（０７ｈ）には、過大音区間２―２に対応するスタートアドレスＡ2-2 、エンドアドレスＡ2-3が格納される。
管理テーブル部の未使用領域は、パーツテーブル（０８ｈ）以降となることに対応して、テーブルポインタP-EMPTY には、「０８ｈ」が格納され、パーツテーブル（０８ｈ）〜（ＦＦｈ）までのすべての未使用のパーツテーブルが、リンク情報に格納する値によりリンクされる。
【００６９】
また、図７（ｄ）により説明したトラックネームの付与結果に応じたＵ−ＴＯＣセクター１における管理内容例を、図１１に示す。
【００７０】
この場合、ディスクネームの文字テーブル（００ｈ）には、文字情報がないことを示す「００ｈ」が格納される。ここでは、1バイト単位の領域ごとに「×」を記載することで、有効な文字情報としてのデータを格納していないことを示す。またスロット(01h) のリンク情報は『００ｈ』とされて連結の終了を示している。また、ここでは、有音区間のトラックTNO1〜TNO4については、トラックネームは付与されていないものとする。またディスクネームも付与されていないものとする。このために、P−TNA５，P−TNA６，P−TNA７以外のトラックネームのテーブルポインタには、「００ｈ」が格納されて、トラックネームの登録が無いことを示す。
この場合、無音区間１−２であるトラックTNO５のトラックネームは、テーブルポインタP-TNA5：０１ｈで示される文字テーブル(01h)から「Ｔｒａｃｋ１―２／Ｎｏ  Ｓｏｕｎｄ」の各文字の情報が順次格納されることになる。つまり、文字テーブル(01h)には、「Ｔｒａｃｋ１―」までの7文字の情報が格納され、続く文字テーブル(02h)に、続きの文字「２／Ｎｏ＿Ｓｏ（＿はスペースを示す）」が格納され、さらに続く文字テーブル(03h)に、続きの文字「ｕｎｄ」が格納される。文字テーブル(01h)のリンク情報には、「02h」を格納し、文字テーブル(02h)のリンク情報には「03h」を格納し、文字テーブル(03h)のリンク情報には、以降のリンクは無いことを示す「00h」を格納する。これにより、文字テーブル(01h)(02h)(03h)の順で１つのトラックネームのためのテーブルの連結構造を示す。なお、文字テーブル(03h)における第４バイト〜第7バイトは、「００ｈ」（図では「−」）により表記している）が格納されることで、文字情報が存在しないことを示す。
また、無音区間２−１であるトラックTNO6のトラックネームは、テーブルポインタP-TNA6：０4ｈで示される文字テーブル(04h)から「Ｔｒａｃｋ２−１／Ｎｏ  Ｓｏｕｎｄ」の各文字の情報が格納されることになる。つまり、文字テーブル(04h)には、「Ｔｒａｃｋ２―」が格納され、続く文字テーブル(05h)に、続きの文字「１／Ｎｏ＿Ｓｏ」が格納され、さらに続く文字テーブル(06h)に、続きの文字「ｕｎｄ」が格納される。文字テーブル(04h)のリンク情報には、「05h」を格納し、文字テーブル(05h)のリンク情報には、「06h」を格納し、文字テーブル(06h)のリンク情報には、「00h」を格納する。
また、過大音区間２−２であるトラックTNO7のトラックネームは、テーブルポインタP-TNA7：０7ｈで示される文字テーブル(07h)から「Ｔｒａｃｋ２−２／Ｎｏ  Ｓｏｕｎｄ」の各文字の情報が格納される。つまり、文字テーブル(07h)には、「Ｔｒａｃｋ２―」が格納され、続く文字テーブル(08h)に、続きの文字「２／Ｐｅａｋ＿」が格納され、さらに続く文字テーブル(09h)に、続きの文字「Ｏｖｅｒ」が格納される。文字テーブル(07h)のリンク情報には、「08h」を格納し、文字テーブル(08h)のリンク情報には、「09h」を格納し、文字テーブル(09h)のリンク情報には、「00h」を格納する。
また、この場合にはテーブルポインタP-EMPTY ：０Ａｈで示される文字テーブル(0Ah) 〜 (FFh) までがリンク情報により連結されて、未記録（格納）領域として設定されている。
【００７１】
これまで説明した本実施の形態のレベル対応トラック分割処理では、記録済みのオーディオデータについて、先ず、有音区間、無音区間、過大音区間の3種の区間に区分することとしているが、これには次のような意味がある。
例えば、会議やコンサートなどをマイクロフォンなどにより収音して、継続的に録音した場合のことを考えてみると分かりやすい。この場合、録音された内容のなかには、無音あるいは演奏や発言が行われていない無音とみなしてもよいような状態が含まれる可能性は充分にあるといえる。また、例えば、意外に大きな音で演奏が行われてしまったことで、録音レベルがピークオーバーとなって、録音された音声も大きく歪んでしまうような場合のあることも考えられる。このような無音の状態や過大音の状態は、例えばユーザにとっては敢えて聴く価値のあるものではなく、最終的には削除してしまってもよいものであると考えることができる。つまり、記録済みのオーディオデータを有音区間、無音区間、及び過大音区間に区分することで、最終的に録音を残しておくべきオーディオデータの区間と、削除してもよいオーディオデータの区間とを分けることができる。
【００７２】
例えば、特許文献などにもあるように、録音時において無音検出を行って、無音状態が検出されているときには録音を停止させるようにした構成は以前から知られている。しかしながら、前述したように、このような機能は、実際には、無音として扱うべきではないのに無音であると検出されて録音がされていなかったりするなどの誤動作を生じることがある。このような誤動作は、例えば無音／有音の信号レベルの境界がそのときの状況に応じて異なることや、入力される音声ソースに本来的に含まれるノイズなどに起因する。このようなことが原因であるために、無音検出の精度を高くすることは難しい。また、無音状態から有音状態に復帰して録音を再開させたとしても、その冒頭部分が途切れて録音されてしまうなどの不都合も生じていた。この点を解決するには、例えばバッファメモリなどにオーディオデータを蓄積させておいたうえで、過去のデータから録音を実行させるような複雑なアルゴリズムが要求されることになるので、特に簡易な構成の記録再生装置では実現化が難しい。
このようなことを考慮すると、本実施の形態のようなレベル対応トラック分割処理は、高い有用性を持ってくることになる。
【００７３】
つまり、本実施の形態のレベル対応トラック分割処理によって、例えば図７（ｄ）に示す編集内容を有したディスクが得られたとする。ユーザは、この編集処理後のディスクを改めて再生して、例えば無音区間のトラックを聴いてみることで、無音として扱ってよいトラックであるのか、あるいは、小音量であったり、無音であるとしても内容的に意味のあるトラックであるのかを判断することができる。つまり、本実施の形態では、無音区間であると検出した部分は、レベル対応トラック分割処理後においても消去されずに残しておくことで、ユーザが後から再生して聴き直すことで、その無音区間についての要否の判断を行えるようにしているものである。これにより、例えば本来は有音である部分を無音として誤検出したような場合でも、後から有用なトラックとして復帰させることが可能になっている。同様にして、過大音区間についても、実際に聴き直してみて、要否の判断をユーザ自身が行うことができる。また、有音区間を聴き直してみて、本当に有音区間として有効であるか、または、実際には無音区間や過大音区間として扱うべきなのかを判断することもできる。
そのうえで、有音区間のトラックと、無音区間（及び過大音区間）のトラックとが、互いにトラックナンバ順的に振り分けて集められるようにしていることから、例えば有音区間だけのトラック、無音区間（あるいは過大音区間）だけのトラックを、それぞれトラックナンバ順にまとめて再生して聴き直して、効率的に確認できるという利便性も得られている。
また、無音区間、過大音区間として移動されたトラックには、その内容が無音であることを示すトラックネームが付されているので、ユーザは、無音区間、過大音区間のトラックを、有音区間のトラックと区別するようにして容易に探すことができる。
【００７４】
そして、上記のようにして、トラックの内容を聴き直してレベル対応トラック分割処理の結果を確認した後は、例えばユーザは、ＭＤ記録再生装置１が備えるとされるトラックの編集機能を利用して、ユーザの意図にかなった記録内容となるようにして編集操作を行うことができる。
【００７５】
編集作業として例えば、ユーザが無音区間のトラックを再生して聴いてみて、無音として扱ってよいと判断したとする。この場合には、例えば通常のトラック消去の操作により、この無音区間のトラックをディスクから消去することができる。
これに対して、無音区間のトラックを再生して聴いてみたところ、例えば内容的に意味のある音が録音されているトラックなので、削除せずに残すべきであると判断したとする。この場合、ユーザとしては、このトラックを、再生時間的につながるようにして、レベル対応トラック分割処理によるトラック移動前の状態に戻したいと思うことになる。このときにも、本実施の形態のレベル対応トラック分割処理により付されたトラックネームが役に立つ。つまり、一旦、無音区間のトラックとして移動されたトラックを元の位置に対応したトラック順に戻すには、このトラックを移動させるトラック移動の操作をユーザが行う必要がある。この場合において、トラックネームは、分割前のトラックを形成するとされる他の区間（分割処理後のトラック）との連結関係を示す内容を有していることから、ユーザは、トラックネームを見ることで、このトラックが本来位置するべきトラック順を容易に理解することができる。具体例として、レベル対応トラック分割処理によるトラック移動前の状態に戻したいと思うトラックが、図７（ｄ）における無音区間１−２のトラックTNO5であったとする。このトラックTNO5のトラックネームは、「Ｔｒａｃｋ１―２／Ｎｏ  Ｓｏｕｎｄ」であることから、元のトラックTNO1において2番目となる部分であることをユーザは知ることができる。そこで、ユーザは、元のトラックTNO1の1番目の部分である、有音区間１−１である現在のトラックTNO1に続くようにして、このトラックTNO5を移動させる編集操作を行うようにされる。
なお、ＭＤ記録再生装置１は、複数のトラックを連結する編集も可能とされている。そこで、この場合においても、ユーザが必要であると判断すれば、編集操作により移動させたトラックを、その前あるいは後ろのトラックと連結して１つのトラックにすることが可能である。
また、例えば図７（ｄ）に示す有音区間１−３のトラックTNO3を再生したところ、冒頭の再生音声が途切れていてしまっていたような場合には、その前のトラックである無音区間１−２のトラックTNO5を、有音区間１−３のトラックTNO3の前に移動させる編集操作を行えばよいことになる。これにより、無音区間１−２のトラックの終わりに録音されている音声が、有音区間１−３のトラックのはじめの部分とつながるようにして再生されることになり、冒頭の再生音声の途切れは解消される。この場合には、例えばさらに、無音区間１−２のトラックに続けて有音区間１−３のトラックを連結する編集をユーザ操作により行うことができる。さらには、連結されたトラックから、無音区間１−２の部分で、実際に無音状態の部分を分割して消去する操作を行うことができる。
【００７６】
また、本実施の形態では、レベル対応トラック分割処理として、レベル検出のためにディスク９０からオーディオデータを読み出して再生処理を実行するのにあたり、メモリ１５からＤ／Ａコンバータ１６への転送出力は行わないこととしている。従って、レベル対応トラック分割処理のときにディスク９０から読み出されるオーディオデータについては、先に説明したように、音声として再生出力されることはない。
このことから、レベル対応トラック分割処理でのレベル検出のためのディスク再生は、通常再生時よりも高速に実行させることができる。そこで、本実施の形態では、レベル対応トラック分割処理のときには、通常再生時よりも高速とされる所定の再生倍速度を設定してディスク９０からのデータ野読み出しと再生信号処理を実行させるようにする。これにより、レベル検出部２２によるレベル検出処理と、この検出結果に応じた無音区間、有音区間、過大音区間ごとの区間設定は、通常の１倍速でディスク再生を行う場合と比較して相当に短時間で完了させることが可能になる。図７の手順から分かるように、レベル対応トラック分割処理としては、レベル検出のためのディスクからのデータの読み出しに大部分の時間を占有されるから、レベル対応トラック分割処理そのものとしても、短時間で高速に終了させることができる。
【００７７】
図１２及び図１３は、本実施の形態のレベル対応トラック分割処理のための手順を、フローチャートとして示している。この図に示す手順は、例えばシステムコントローラ１１が内部ＲＯＭなどに記憶されるプログラムに従って実行する処理としてみることもできる。
【００７８】
ここで、操作部２１に対して、レベル対応トラック分割処理を指示する操作が行われたとする。この操作に応じて、ＭＤ記録再生装置１は、図１２のステップＳ１０１以降の処理を実行することになる。
ステップＳ１０１においては、今回のレベル対応トラック分割処理の対象とする開始トラックと、最終トラックとを設定するようにされる。この処理は、例えばレベル対応トラック分割処理を指示する操作として行われた、ユーザの開始トラック／終了トラックの指定に応じて設定を行うようにされればよい。このようにして、レベル対応トラック分割処理の対象とするトラックの範囲を設定できるようにすることで、レベル対応トラック分割処理についての自由度が高くなるように配慮している。なお、デフォルトでは、装填されたディスク９０に記録されている全てのトラックを対象とするようにして設定すればよい。
【００７９】
次のステップＳ１０２においては、有音検出、無音検出、過大音検出のためのオーディオデータの信号レベルについての閾値を設定する。この場合には、有音と無音の境界に対応する閾値（有音／無音閾値）と、有音と過大音の境界に対応する閾値（有音／過大音閾値）とを設定するようにされる。
本実施の形態では、この閾値については、デフォルトとしての値が予め決められているものとしたうえで、ユーザの操作部２１に対する操作に応じて変更設定することが可能とされている。このようにして、ユーザ操作による閾値の変更設定を可能としていることで、編集対象となるディスクの記録内容などに応じて、ユーザの意図にかなった区間分けができるだけ的確に行えるようにしている。ユーザ操作に応じて設定された閾値の情報は、例えばシステムコントローラ１１が備えるとされる不揮発性のメモリなどに対して記憶保持させておくようにされる。そして、ステップＳ１０２の処理のときには、この記憶保持されている閾値の情報を読み出してレジスタなどにセットするようにされる。
【００８０】
次のステップＳ１０３においては、分割情報保持部を初期化する。ここでの分割情報とは、図７（ｂ）にて説明した、有音開始位置、無音開始位置、及び過大音開始位置を示すアドレスの情報をいう。また、分割情報保持部は、例えばシステムコントローラ１１が備えるＲＡＭに対して、分割情報を保持するための領域を設定することで形成される。
【００８１】
そして、ステップＳ１０４では、上記ステップＳ１０１にて設定された開始トラックから最終トラックまでのオーディオデータの再生処理を開始させる。このときには、前述したように、通常1倍速よりも高速な所定倍速度による再生処理を実行するようにされ、Ｄ／Ａコンバータ１６によるＤ／Ａ変換処理は行わない。Ｄ／Ａコンバータ１６によるＤ／Ａ変換処理を行う場合には、メモリ１５に蓄積されているデータを、通常１倍速の再生クロックに同期したタイミングでＤ／Ａコンバータ１６に継続的に転送するようにされる。再生クロックの速度は、デコード処理の速度と比較すると相当に遅いことから、エンコーダ／デコーダ１４は、メモリ１５のデータ蓄積量が一定以下となるまで待ち状態となるようにされる、そして、メモリ１５のデータ蓄積量が一定以下になると、次のデータのデコードを実行して、メモリ１５のデータ蓄積量が０にならないうちに、データを書き込んで蓄積させる。しかしながら、本実施の形態の場合の再生処理は、Ｄ／Ａコンバータ１６にデータを転送する必要がないことから、エンコーダ／デコーダ１４からメモリ１５に書き込まれたデータは、ほぼ同等の速度で、レベル検出部２２に転送させていくことができる。つまり、エンコーダ／デコーダ１４としては、処理待ち時間が無い、あるいは短縮されることになる。従って、先にも説明したように、レベル対応トラック分割処理のための再生時間は、通常再生時よりも相当に短縮される。また、上記したように、エンコーダ／デコーダ１４の処理の待ち時間が無くなる、あるいは短縮されることに基づけば、ディスクからの再生を通常1倍速に対応させた速度としても、通常に音声出力再生させる場合と比較すれば、再生時間は短縮される。
【００８２】
ステップＳ１０５では、エンコーダ／デコーダ１４によるデコード（伸長）処理が、最終トラックの終端データまで完了したか否かを判別することとしており、肯定結果が得られたのであれば、ステップＳ１１４の処理に移行するが、否定結果が得られる限りは、ステップＳ１０６以降の処理を実行するようにされる。
【００８３】
ステップＳ１０６においては、現時点において、これ以上のトラック分割が可能であるか否かについて判別する。ミニディスクの基本的なフォーマットによって記録可能な最大トラック数は決められている。本実施の形態のレベル対応トラック分割処理は、分割前のトラックについて、分割情報としてのアドレスを使用して分割を行うようにされる。従って、最終的に分割されるトラック数は、分割情報により、分割前のトラックがそれぞれいくつのトラックに分割されるのかにより決まる。ステップＳ１０６では、現時点において分割情報により分割されることで形成される総トラック数について、規定の最大トラック数に至ったか否かについて判別する。
ステップＳ１０６により否定の判別結果が得られた場合には、ステップＳ１１４の処理に進むようにされるが、肯定の判別結果が得られたのであれば、ステップＳ１０７に進む。
【００８４】
ステップＳ１０７においては、ディスク９０からデータを読み出して、エンコーダ／デコーダ１４によるデコード処理（デコードされたデータのメモリ１５への転送までを含む）までの系による再生信号処理を実行させる。このステップＳ１０７の処理は、ステップＳ１０１にて設定された分割対象の開始トラックのオーディオデータから開始することになる。
このステップＳ１０７としてのデコード処理により得られるデジタルオーディオ信号のデータは、例えばシステムコントローラ１１の制御によってメモリ１５に転送して書き込みが行われたうえで、メモリ１５から読み出され、レベル検出部２２に対して入力される。レベル検出部２２は、入力されてくるオーディオ信号のレベル検出を行う。
【００８５】
システムコントローラ１１は、レベル検出部２２の検出情報を取り込んで、ステップＳ１０２にて設定した有音／無音閾値、及び有音／過大音閾値との比較を行う。この比較の結果として、先ず、ステップＳ１０８により、有音または過大音とされていた状態から無音状態に遷移したか否かを判別する。
ステップＳ１０８において肯定の判別結果が得られたとされると、ステップＳ１０９により、この無音状態に遷移したとされる位置のオーディオ信号が記録されていたディスク上のアドレスを取得する。そして、この取得したアドレスを、無音開始位置のアドレスを示す分割情報として、分割情報保持部に格納する。一方、否定の判別結果が得られた場合には、ステップＳ１０９の処理をスキップしてステップＳ１１０に進む。
【００８６】
ステップＳ１１０においては、無音あるいは過大音とされていた状態から、有音（通常レベル）の状態に遷移したか否かを判別し、肯定の判別結果が得られた場合には、ステップＳ１１１により、この有音状態に遷移したオーディオ信号の位置に対応するアドレスを取得し、このアドレスを、有音開始位置のアドレスを示す分割情報として分割情報保持部に格納する。否定の判別結果が得られた場合には、ステップＳ１１１の処理をスキップしてステップＳ１１２に進む。
【００８７】
ステップＳ１１２においては、有音あるいは無音とされていた状態から、過大音の状態に遷移したか否かを判別し、肯定の判別結果が得られた場合には、ステップＳ１１３により、この過大音状態に遷移したオーディオ信号の位置に対応するアドレスを取得し、このアドレスを、有音開始位置のアドレスを示す分割情報として分割情報保持部に格納する。ステップＳ１１３の処理を実行すると、ステップＳ１０５に戻るようにされる。否定の判別結果が得られた場合には、ステップＳ１１３の処理をスキップしてステップＳ１０５に戻る。
【００８８】
最終トラックにおける最後のデータまでのデコード（伸長）処理が完了したとして、ステップＳ１０５において肯定の判別結果が得られた場合、あるいは、これ以上のトラック分割が不可能であるとしてステップＳ１０６において否定の判別結果が得られた場合には、ステップＳ１１４の処理に移行する。
【００８９】
ステップＳ１１４においては分割情報保持部を参照して、これまでに分割情報保持部に格納された無音開始位置、有音開始位置、及び過大音開始位置のアドレスを利用して、図７（ｂ）から図７（ｃ）への遷移として例示したような、トラックの分割処理を実行する。このトラックの分割処理は、例えばシステムコントローラ１１がＲＡＭ上で保持しているＵ−ＴＯＣセクター０のデータ内容を書き換えることによって実現される。
【００９０】
次のステップＳ１１５においては、有音区間、無音区間、過大音区間ごとによるトラックナンバの振り分けを実行させるか否かの判別を行うようにされる。つまり、ここでは、図７（ｃ）から図７（ｄ）への遷移として例示した編集処理を実行するか、あるいは、図７（ｃ）までのトラック分割までで、今回のレベル対応トラック分割処理を終了させるか否かについての判別を行う。本実施の形態としては、例えばユーザ操作によって、レベル対応トラック分割処理として、トラック分割までにとどめるか、あるいはレベル状態の区間に応じたトラックナンバの振り分けまで実行させるのかを、予め選択できるようにしている。ユーザの利用の仕方によっては、トラック分割までにとどめて、トラックナンバの振り分けは行わない方が使い勝手がよい場合があることが考えられる。本実施の形態では、このようなことを考慮して、上記のような選択性を与えることとしている。また、例えば分割トラック数があまりに増加した場合、トラックナンバの振り分けをすると、かえってユーザのトラックの認識、把握が難しくなるようなことも考えられるので、例えば分割トラック数が一定以上になった場合には、トラックナンバの振り分けは実行しないアルゴリズムとすることが考えられる。
このようなユーザの設定操作や、トラックナンバの振り分けの実行可否についてのアルゴリズムに従って、ステップＳ１１５において否定の判別結果が得られた場合には、ステップＳ１１６の処理をスキップして、ステップＳ１１７の処理に進む。これに対して、ステップＳ１１５にて肯定の判別結果が得られた場合には、ステップＳ１１６によるトラックナンバ振り分けのための処理を実行したうえで、ステップＳ１１７に進む。
【００９１】
ここで、ステップＳ１１６としてのトラックナンバの振り分け処理のための手順例を、図１３のフローチャートに示す。
トラックナンバの振り分けにあたっては、先ず、ステップＳ２０１として示すようにして、トラックナンバの変更（トラック移動）を行うべき対象のトラックを、無音区間トラックに設定する。以降のステップＳ２０２〜ステップＳ２０６までの処理は、トラック移動として、無音区間トラックを移動させるための処理となる。
【００９２】
ステップＳ２０２においては、先ず、先のステップＳ１１４による分割対象となった全トラックについて、無音区間トラックであるか否かの確認が完了したか否かについて判別する。ここで未だ確認していないトラックが残っているとして、否定の判別結果が得られたのであれば、ステップＳ２０３に進む。
ステップＳ２０３では、現在確認対象となっているトラック（現確認対象トラック）について、無音区間のトラックであるか否かについて判別する。この判別は、分割情報保持部に格納される情報から、現トラックの開始アドレスが、無音開始位置のアドレスと一致しているか否かの比較を実行すればよい。
ステップＳ２０３において否定の判別結果が得られた場合には、ステップＳ２０４，Ｓ２０５の処理をスキップして、ステップＳ２０６に進む。これに対して、肯定の判別結果が得られたのであれば、ステップＳ２０４，Ｓ２０５の処理を実行してからステップＳ２０６に進む。
【００９３】
ステップＳ２０４では、現確認対象トラックが、最終トラックのトラックナンバとなるようにして、トラック移動の処理を実行する。つまり、トラックナンバを変更する処理を実行する。このためには、現確認対象トラックのトラックナンバを最終トラックのトラックナンバとするとともに、これに応じて、現確認対象トラックの移動前において、現確認対象トラックよりも後ろのトラックについて、トラックナンバを１つ繰り上げるようにしてトラックナンバの変更を行うようにされる。
次のステップＳ２０５においては、現確認トラックにトラックネームを付与するための処理を実行する。つまり、図７（ｄ）にて例示したような、分割前のトラックにおける現トラックの位置と、現確認対象トラックが無音区間であることを認識できるようなトラックネームを所定規則に従って生成し、この生成したトラックネームにより、Ｕ−ＴＯＣセクター１を更新する。
ステップＳ２０６では、確認対象トラックを次のトラックに設定して、ステップＳ２０２に戻るようにされる。そして、上記ステップＳ２０２〜ステップＳ２０６までの処理を分割後のトラック数に対応した回数を繰り返すことで、ステップＳ２０２において否定結果が得られることとなって、ステップＳ２０７の処理に進むことになる。
【００９４】
ステップＳ２０７では、移動対象トラックを過大音区間のトラックに設定し、ステップＳ２０８以降の過大音区間のトラックについての移動処理を実行する。
ステップＳ２０８では、分割後のトラックのうちで、無音区間以外の全トラックについて、過大音区間のトラックであるか否かの確認を行ったか否かについての判別を行う。ここで、上記全トラックについての確認が未だ完了していないとして否定の判別結果が得られたのであれば、ステップＳ２０９に進み、現確認対象トラックは、過大音区間のトラックであるか否かについて判別する。ここで否定結果が得られたのであれば、ステップＳ２１０、Ｓ２１１の処理をスキップしてステップＳ２１２の処理に進むが、肯定の判別結果が得られた場合には、ステップＳ２１０、Ｓ２１１の処理を実行して、ステップＳ２１２に進む。
【００９５】
ステップＳ２１０では、ステップＳ２０４と同様にして、現確認対象トラックが最終トラックのトラックナンバとなるようにして、トラック移動処理を実行する。ステップＳ２１１では、現確認トラックにトラックネームを付与するための処理を実行する。つまり、ステップＳ２０５の手順に準じて、分割前のトラックにおける現トラックの位置と、現確認対象トラックが過大音区間であることを認識できるようなトラックネームを所定規則に従って生成し、この生成したトラックネームにより、Ｕ−ＴＯＣセクター１を更新する
【００９６】
ステップＳ２１２においては、現確認対象トラックを次のトラックに設定し、ステップＳ２０８に進む。この場合にも、上記ステップＳ２０８〜ステップＳ２１２までの処理を、無音区間以外の分割後のトラックに対応した回数繰り返すことで、ステップＳ２０８において否定結果が得られることになる。ステップＳ２０８にて肯定結果が得られたのであれば、ステップＳ１１６としてのトラックナンバ振り分け処理が終了したこととなって、図１２のステップＳ１１７の手順を実行する。
なお、ステップＳ１１６の処理として、ステップＳ２０７〜ステップＳ２１２の処理を先に実行して、ステップＳ２０１〜Ｓ２０６の処理をこれに続けて実行させてもよい。この手順では、トラックナンバの振り分けの結果として、有音区間のトラックの後ろに、先ず、過大音区間のトラックが続き、さらにこの後ろに無音区間のトラックが続くことになる。
【００９７】
これまでの処理によって、レベル対応トラック分割処理としてのトラック分割、トラック移動の編集結果は、システムコントローラ１１により保持しているＵ−ＴＯＣ（Ｕ−ＴＯＣセクター０、及びＵ−ＴＯＣセクター１）に反映されている状態にある。そこで、この場合には、ステップＳ１１７により、このシステムコントローラ１１が保持しているＵ−ＴＯＣの内容と一致するようにして、ディスク９０に記録されるＵ−ＴＯＣについての更新も実行するようにされる。
【００９８】
なお、上記実施の形態においては、有音区間以外の区間として、無音区間と過大音区間があるものとされているが、例えば、従来技術が、無音検出を行っていることを考慮すれば、本実施の形態としても、実用的には、有音区間と無音区間のみによる区間分けをしても十分な効果が得られるといえる。しかしながら、本実施の形態のようにして、過大音区間も加えることとすれば、不要な区間と、有用な区間との区間分けに関してより高い機能を提供できることになる。また、実際の使用などに応じて、逆に、有音区間と過大音区間のみによる区間分けをする構成とすることも考えられる。
また、上記実施の形態では、ミニディスクに対応してオーディオデータを記録する場合の編集を例に挙げているが、対応する記憶媒体としては、ランダムアクセスが可能でなものであれば特に限定されるものではない。例えば、ミニディスク以外の各種ディスク状記録媒体であってもよいし、また、フラッシュメモリなどのような記憶媒体を使用した記録再生装置などにも適用できる。また、適用対象の記録再生装置が対応してオーディオデータを記録再生する記憶媒体については、リムーバブルなものであっても、または、ドライブなどとともに固定的に記録再生装置に内蔵されるものであってもかまわない。あるいは、本願発明に基づいた編集装置としては、記憶媒体に対して記録再生を行うドライブ装置などと別体とする構成も考えられる。つまり、ドライブ装置に対してデータ再生を指示して、管理情報（ＴＯＣ）及びオーディオデータの読み出しを実行させて、この読み出しデータを編集装置が取り込むようにされる。そして、編集装置側にて、取り込んだオーディオデータデータのレベル検出を実行し、そのレベル検出結果に従ってレベル対応トラック分割処理としての管理情報の更新を行い、更新した管理情報を記録媒体に書き込むようにされる。このような構成であれば、例えば本願発明の編集装置として実行すべき手順をプログラムとして構成することも可能となる。
また、上記実施の形態では、記憶媒体がミニディスクであることに対応して、オーディオデータがトラックといわれる概念の単位により管理されることを前提としているが、例えばトラックに準ずるような、ファイルなどとしての概念により管理される場合にも本発明は適用できる。つまり、継続的に音声として再生出力すべきものとされるオーディオデータから成る単位とされればよい。
【図面の簡単な説明】
【００９９】
【図１】本発明の実施の形態としてのＭＤ記録再生装置の構成を示すブロック図である。
【図２】Ｕ−ＴＯＣセクター０の構造を示す図である。
【図３】Ｕ−ＴＯＣセクター０におけるパーツのリンクの管理例を模式的に示す図である。
【図４】ミニディスクのエリア構造を示す図である。
【図５】図４に示すオーディオデータの記録状態に対応するＵ−ＴＯＣセクター０の内容例を示す図である。
【図６】Ｕ−ＴＯＣセクター１の構造を示す図である。
【図７】実施の形態のレベル対応トラック分割処理の手順例を模式的に示す図である。
【図８】図７に示すレベル対応トラック分割処理前の状態に対応するＵ−ＴＯＣセクター０の内容例を示す図である。
【図９】図７に示すレベル対応トラック分割処理後であって、トラック移動前の状態に対応するＵ−ＴＯＣセクター０の内容例を示す図である。
【図１０】図７に示すレベル対応トラック分割処理におけるトラック移動後の状態に対応するＵ−ＴＯＣセクター０の内容例を示す図である。
【図１１】図７に示すレベル対応トラック分割処理によるトラックネームの付与結果に応じたＵ−ＴＯＣセクター１の内容例を示す図である。
【図１２】レベル対応トラック分割処理の手順を示すフローチャートである。
【図１３】レベル対応トラック分割処理におけるトラックナンバ振り分けの手順を示すフローチャートである。
【符号の説明】
【０１００】
１  ＭＤ記録再生装置、２  スピンドルモータ、３  光学ヘッド、４  二軸機構、５  スレッド機構、６  磁気ヘッド駆動回路、７  ＲＦアンプ、８  （ＥＦＭ、ＣＩＲＣ）エンコーダ／デコーダ、９  サーボ回路、１０  アドレスデコーダ、１１  システムコントローラ、１２  メモリコントローラ、１３  バッファメモリ、１４  （圧縮／伸長）エンコーダ／デコーダ、１５  メモリ、１６  Ｄ／Ａコンバータ、１７  オーディオ出力端子、１８  Ａ／Ｄコンバータ、１９  オーディオ入力端子、２０  表示部、２１  操作部、２２  レベル検出部、９０  ミニディスク
【図１】
2007102921.tif 000003
【図２】
2007102921.tif 000004
【図３】
2007102921.tif 000005
【図４】
2007102921.tif 000006
【図５】
2007102921.tif 000007
【図６】
2007102921.tif 000008
【図７】
2007102921.tif 000009
【図８】
2007102921.tif 000010
【図９】
2007102921.tif 000011
【図１０】
2007102921.tif 000012
【図１１】
2007102921.tif 000013
【図１２】
2007102921.tif 000014
【図１３】
2007102921.tif 000015
【手続補正書】
【提出日】平成17年10月14日(2005.10.14)
【手続補正１】
【補正対象書類名】図面
【補正対象項目名】図１１
【補正方法】変更
【補正の内容】
【図１１】
2007102921.tif 000016